(57)【要約】【課題】デジタル放送の視聴などが可能な携帯電話等の携帯通信端末であって、屋外や電車内などであっても、デジタル放送などによる情報や娯楽性を十分に得ることを可能にする携帯通信端末を提供する。【解決手段】受信した音声データを音声出力する音声出力手段と、受信した画像データを画像出力する画像出力手段と、環境音量を測定する音量測定手段と、音声データを認識して文字変換する変換手段とを有し、音量測定手段によって測定された環境音量が所定値を超えた際に、変換手段によって変換した文字を字幕として画像出力手段に表示することにより、前記課題を解決する。【選択図】図１
2005064592.tif 000002
【特許請求の範囲】
【請求項１】
受信した音声データを音声として出力する音声出力手段と、受信した画像データを画像として出力する画像出力手段と、環境音量を測定する音量測定手段と、前記音声データを認識して文字変換する変換手段とを有し、
前記音量測定手段によって測定された環境音量が所定値を超えた際に、前記変換手段によって変換した文字を字幕として前記画像出力手段に表示することを特徴とする携帯通信端末。
【請求項２】
受信した音声データを音声として出力する音声出力手段と、受信した画像データを画像として出力する画像出力手段と、環境音量を測定する音量測定手段と、前記音声データおよび画像データを記憶する記憶手段とを有し、
前記音量測定手段によって測定された環境音量が所定値を超えた際に、前記記憶手段によって前記音声データおよび画像データを記憶し、後に、記憶手段から読み出して前記音声出力手段および画像出力手段で再生することを特徴とする携帯通信端末。
【請求項３】
通話機能を有する請求項１または２に記載の携帯通信端末。
【請求項４】
デジタル放送を受信して、前記音声出力手段および画像出力手段で出力する機能を有する請求項１〜３のいずれかに記載の携帯通信端末。
【請求項５】
受信した画像データの画像中における人物認識および文字認識の少なくとも一方を行い、画像中における人物および文字のサイズが所定サイズ以下である場合には、前記画像出力手段において対応する領域の拡大画像を表示する請求項１〜４のいずれかに記載の携帯通信端末。
【請求項６】
前記デジタル放送を受信して録画するサーバーと接続し、このサーバに、自身が受信したデジタル放送の録画を指示する請求項１〜５のいずれかに記載の携帯通信端末。
【発明の詳細な説明】
【０００１】
【発明の属する技術分野】
本発明は、携帯電話等の携帯通信端末の技術分野に属し、詳しくは、騒々しい屋外であっても、デジタル放送等を快適に視聴できる携帯通信端末に関する。
【０００２】
【従来の技術】
携帯電話やＰＤＡ（Ｐｅｒｓｏｎａｌ  Ｄｉｇｉｔａｌ  Ａｓｓｉｓｔａｎｔ）などの携帯通信端末の普及率が飛躍的に拡大している。これらは、通常、デジタル通信によって画像や音声等の情報を送受信を行う。
一方で、ＴＶ放送でもデジタル化が進んでおり、衛星（ＢＳ）デジタル放送のサービスは既に実施され、さらに、地上波デジタル放送のサービス開始も２００３年末に予定されている。
【０００３】
このような実情に鑑み、携帯端末でのデジタル放送の視聴を想定した各種の開発（例えば非特許文献１）や、携帯電話等の携帯通信端末によって、デジタル放送の受信や視聴を行うことを実用化するための提案が、各種、成されている。
【０００４】
一例として、特許文献１には、カメラ付デジタル携帯通話器による録画指示および鑑賞を行うシステムが開示されている。
この情報処理システムにおいては、カメラ付デジタル携帯通話器によって、デジタル放送の番組（コンテンツ）の録画指示を録画サーバに行う。これに対応して、録画サーバが指示された番組を受信し、符号化して、所定の記憶装置に記憶する。また、カメラ付デジタル携帯通話器（携帯情報端末）が視聴の要求を出すと、録画サーバは、これに応じて、符号化したコンテンツを読み出して、カメラ付デジタル携帯通話器に送り、カメラ付デジタル携帯通話器で再生する。
【０００５】
また、特許文献２には、デジタル放送映像の表示・蓄積および送受信を実現するシステムとして、デジタルコンテンツを圧縮して送信するコンテンツ変換サーバと、圧縮デジタルコンテンツを受信して、さらに圧縮して携帯用デジタルコンテンツを生成すると共に、この携帯用デジタルコンテンツを表示・記憶する携帯端末と、圧縮デジタルコンテンツを受信して、表示・記憶するホームサーバとからなるデジタル情報配信システムが開示されている。
【０００６】
さらに、特許文献３には、使用者のカバン等に入れられる受信装置と、移動可能な携帯端末である表示装置とからなる受信システムが開示されている。
このシステムにおいては、受信装置は、デジタル放送信号を受信して符号化デジタル信号に復調し、これを所定形式の無線通信信号に変換して、この無線通信信号を送信する。他方、表示装置は、前記受信装置から送信された無線通信信号を受信し、これを前記符号化デジタル信号と同形式の信号に変換し、この信号を復号して、コンテンツを再生する。
【０００７】
【非特許文献】
日経エレクトロニクス（日経ＢＰ社刊）  ２００２年１２月２日号
第３５ページ
【特許文献１】
特開２００２−７７８３９号公報
【特許文献２】
特開２００２−２１５４９６号公報
【特許文献３】
特開２００３−１０１８１２号公報
【０００８】
【発明が解決しようとする課題】
携帯電話等によるデジタル放送の視聴は、路上等の屋外や、車内や電車内等で行われる場合も多い。
当然のことであるが、これらの環境は、室内に比してＴＶ放送等の視聴に適ししているとはいえない。例えば、電車内であれば走行音を避けることはできず、場合によっては車内放送等も頻繁に有る。また、屋外であれば、車による騒音や周囲の話し声等は避けることができない。さらに、屋内であっても、場内放送や周囲の話し声によって、視聴が妨害される場合もある。
すなわち、携帯電話等でデジタル放送を視聴する際には、特に、音声の点で好適な環境ということは出来ない。
【０００９】
その結果、番組中の重要なセリフや、視聴者にとって重要な情報を聞き逃してしまう場合も多く考えられ、折角、デジタル放送を携帯電話等によって視聴しても、その娯楽性や有用性が減じてしまう。
【００１０】
本発明の目的は、前記従来技術の問題点を解決することにあり、デジタル放送の視聴などが可能な携帯電話等の携帯通信端末であって、屋外や電車内などの視聴には適さない環境化であっても、適正な通話等を行うことができ、さらに、デジタル放送などによる情報や娯楽性を十分に得ることを可能にする携帯通信端末を提供することにある。
【００１１】
【課題を解決するための手段】
前記目的を達成するために、本発明の携帯通信端末の第１の態様は、受信した音声データを音声として出力する音声出力手段と、受信した画像データを画像として出力する画像出力手段と、環境音量を測定する音量測定手段と、前記音声データを認識して文字変換する変換手段とを有し、前記音量測定手段によって測定された環境音量が所定値を超えた際に、前記変換手段によって変換した文字を字幕として前記画像出力手段に表示することを特徴とする携帯通信端末を提供する。
【００１２】
また、本発明の携帯通信端末の第２の態様は、受信した音声データを音声として出力する音声出力手段と、受信した画像データを画像として出力する画像出力手段と、環境音量を測定する音量測定手段と、前記音声データおよび画像データを記憶する記憶手段とを有し、前記音量測定手段によって測定された環境音量が所定値を超えた際に、前記記憶手段によって前記音声データおよび画像データを記憶し、後に、記憶手段から読み出して前記音声出力手段および画像出力手段で再生することを特徴とする携帯通信端末を提供する。
【００１３】
このような本発明の携帯通信端末において、通話機能を有するのが好ましく、また、デジタル放送を受信して、前記音声出力手段および画像出力手段で出力する機能を有するのが好ましく、また、受信した画像データの画像中における人物認識および文字認識の少なくとも一方を行い、画像中における人物および文字のサイズが所定値以下である場合には、対応する領域の拡大画像を出力するのが好ましく、さらに、前記デジタル放送を受信して録画するサーバーと接続し、このサーバに、自身が受信したデジタル放送の録画を指示するのが好ましい。
【００１４】
【発明の実施の形態】
以下、本発明の携帯通信端末について、添付の図面に示される好適実施例を基に、詳細に説明する。
【００１５】
図１（Ａ）に、本発明の携帯通信端末を、いわゆる携帯電話に利用した一例の概念をブロック図で示す。
図１（Ａ）に示す携帯電話１０は、通常の携帯電話の機能に加え、ＢＳデジタル放送、ＣＳデジタル放送、地上波デジタル放送などのデジタル放送を受信して、これを再生する機能を有するものであり、一例として、画像出力部１２、音声出力部１４、受信部１６、復号部１８、字幕変換部２２、および、環境音測定部２４とを有して構成される。また、これ以外に、バッファ機能を有する画像／音声記憶部等を有してもよい。
【００１６】
なお、携帯電話１０は、図示した部位以外にも、操作キー、マイクロフォン、通話データの送受信手段、送受信回路、変複調回路、音声データと画像データを分離する多重分離部など、通話等のために通常の携帯電話が有する各種の部位を有するのは、もちろんである。
【００１７】
画像出力部１２はディスプレイによる画像表示を行う部位であり、また、音声出力部１４は、スピーカにる音声出力を行う部位である。両者は共に、通話、各種の操作、情報等の出力、映像の再生等のために設けられる、通常の携帯電話が有するものでよい。
ここで、図示例の携帯電話１０においては、この画像出力部１２および、音声出力部１４によって、受信したデジタル放送の番組（以下、コンテンツとする）の視聴を行うので、両者は共に、コンテンツの視聴に対応できる程度の機能を有するのが好ましい。また、音声出力部１４は、音声を再生するためのスピーカに加えて（あるいは変えて）、イヤホンやヘッドホンを接続するための端子（Ｌｉｎｅ  Ｏｕｔ  端子）  を有するのが好ましい。
【００１８】
受信部１６および復号部１８は、共に、コンテンツを受信し、再生するためのものである。なお、携帯電話１０によるコンテンツの再生手段は、図示例の構成に限定はされず、前記特許文献２（特開２００２−２１５４９６号公報）や特許文献３（特開２００３−１０１８１２号公報）に開示される方法等、公知の方法が各種利用可能である。
【００１９】
受信部１６は、コンテンツを受信する部位であり、受信部１６が受信したコンテンツデータ（映像データおよび音声データ）は、復号部１８が復号処理して、携帯電話１０によって視聴できるデータ、すなわち、画像出力部１２における映像の再生、および音声出力部１４による音声出力に対応するデータに変換する。また、復号部１８は、変換した映像データを字幕変換部２２に、同音声データを音声出力部２２および字幕変換部２２に送る。
復号処理の方法には、特に限定はなく、前述の特許文献１に開示される方法等、公知の方法によればよい。
【００２０】
環境音量測定部２４は、携帯電話１０が使用される環境における音量（環境音量）を測定する部位であり、測定結果を字幕変換部２２に送る。
字幕変換部２２は、環境音量測定部２４による環境音量の測定結果に応じて、音声データを字幕に変換する部位である。以下、詳細に説明する。
【００２１】
携帯電話１０でコンテンツを再生する際には、前述のように、受信部１６がコンテンツデータを受信して、このコンテンツデータを、復号部１８が復号して、映像データを字幕変換部２２に、同音声データを字幕変換部および音声出力部１４に供給する。また、環境音量測定部２４は、環境音量の測定結果を字幕変換部２２に供給する。
【００２２】
字幕変換部２２は、環境音量測定部２４が測定した環境音量が所定値以下で有る場合には、映像データを、そのまま画像出力部１２に供給し、画像出力部１２は、供給された映像データに応じた映像を表示する。
この映像表示に同期して、音声出力部１４が供給された音声データに応じた音声を出力し、すなわちコンテンツを再生して、ユーザによって視聴される。
【００２３】
ここで、環境音量測定部２４が測定した環境音量が所定値を超えたら、すなわち周囲の雑音が所定値を超えたら、字幕変換部２２は、音声データを文字変換して字幕データとし映像データに組み込んで、画像出力部１２に供給する。
画像出力部１２は、供給された、字幕を組み込まれた映像データに応じた映像を表示し、かつ、この映像表示に同期して、音声出力部１４が供給された音声データに応じた音声を出力する。
すなわち、環境音量測定部２４が測定した環境音量が所定値を超えた際には、音声に対応する字幕を組み込んだコンテンツを再生する。
【００２４】
ここで、図示例の携帯電話１０において、字幕変換するのはコンテンツのみならず、通話中に環境音量が所定値を超えた場合にも、受信した通話音声を字幕変換して画像出力部１２で字幕として表示する。
【００２５】
例えば、携帯電話１０がＮＴＴＤｏＣｏＭｏの「ＦＯＭＡ（フォーマ）」のようにテレビ電話として使用されている際には、受信した通話データの音声データを音声出力部１４のみならず字幕変換部２２にも供給する。また、映像データは、同様に、字幕変換部２２に送られる。
以下は、同様にして、環境音量測定部２４による測定結果に応じて、環境音量が規定値以下である場合には、字幕変換部２２は何の処理もせずに画像出力部１２に映像データを出力し、映像と音声とを同期して出力する。他方、環境音量が規定値を超えた場合には、字幕変換部２２が音声データを字幕変換して映像データに組み込み、字幕を組み込まれた映像と音声とを同期して出力する。
なお、通話中に字幕変換を行うのは、携帯電話１０をテレビ電話として使用している最中に限定はされず、通常の通話中であってもよい。
【００２６】
図１（Ｂ）に、本発明の携帯通信端末の別の態様に係る携帯電話の一例の概念をブロック図で示す。
なお、図１（Ｂ）の携帯電話３０においては、先の携帯電話１０と同様の部位を多数有するので、同じ部位には同じ符号を付し、以下の説明は、異なる点を主に行う。また、図１（Ｂ）に示す携帯電話３０においても、同様に、操作キーやマイクロフォンなど、通話等のために通常の携帯電話が有する各種の部位を有するのは、もちろんである。さらに、図示した部位以外に、バッファ機能を有する画像／音声記憶部等を有してもよいのは、先の例と同様である。
【００２７】
図１（Ｂ）に示す携帯電話３０においては、前記携帯電話１０の字幕変換部２２に変えて、ＤＲＡＭ等を利用する、コンテンツデータを記憶するための記憶部３２を有する。また、環境音量測定部２４による環境音量の測定結果は、この記憶部３２に供給される。
【００２８】
携帯電話３０において、コンテンツを視聴する際には、同様に、受信部１６が受信したコンテンツデータを、復号部１８が復号する。復号部１８は、復号化したコンテンツデータを記憶部３２に供給する。
記憶部３２は、環境音量測定部２４が測定した環境音量が所定値以下で有る場合には、供給されたコンテンツデータを記憶することなく、映像データを画像出力部１２に、音声データを音声出力部１４に、それぞれ出力し、両部位で映像と音声とを同期して出力してコンテンツを再生し、ユーザによって視聴される。
【００２９】
ここで、環境音量測定部２４が測定した環境音量が所定値を超えたら、記憶部３２は、画像出力部１２および音声出力部１４にコンテンツデータを供給すると共に、環境音量が所定値を超えた時間帯のコンテンツデータを記憶する。
例えば、コンテンツがＣＭとなった時点で、記憶部３２は、記憶したコンテンツデータの映像データを画像出力部１２に、同音声データを音声出力部１４に、それぞれ出力し、両部位が映像と音声とを同期して出力して記憶した領域のコンテンツを再生し、ユーザによって視聴される。
【００３０】
あるいは、携帯電話３０においては、環境音量測定部２４が測定した環境音量が所定値を超えたら、記憶部３２は、画像出力部１２および音声出力部１４へのコンテンツデータの供給を停止し（すなわちコンテンツの再生をフリーズし）、これ以降のコンテンツデータを記憶する。
環境音量が所定値以下となったら、記憶部３２は記憶したコンテンツデータを画像出力部１２および音声出力部１４に出力し、すなわちコンテンツの再生を再開する（後追い再生）。コンテンツの後追い再生を開始した後、受信／記憶しているコンテンツのＣＭ中における再生や早送り再生等によって、再生が受信しているコンテンツに追いついた時点で、記憶部３２は記憶を中止し、環境音量が規定値を超える前と同様の、通常のコンテンツの再生状態に戻る。
【００３１】
また、この態様においても、通常の通話中に環境音量が規定値を超えたら、通話データ（音声データおよび映像データ）を記憶部３２に記憶しておき、同様にして後に再生する。
【００３２】
以上の説明より明らかなように、本発明によれば、デジタル放送を受信して視聴可能な携帯電話等の携帯通信端末において、環境騒音等の影響を受けずにコンテンツを視聴することができ、すなわち、デジタル放送などによる情報や娯楽性を十分に得ることができる。また、騒音等で通話が妨害されても、通話内容を的確に把握する事ができる。
【００３３】
本発明において、環境音量の規定値、すなわち、音声データを字幕変換あるいはコンテンツデータを記憶する環境音量（判断用の閾値）には、特に限定はなく、スピーカ１４の出力や位置等に応じて、音声が聞き取りにくいと感じられる環境音量を適宜決定すればよい。好ましくは、この判定用の閾値は、コンテンツやＴＶ電話の再生音量と環境音量との相対関係に応じて、適応的に制御する。
あるいは、字幕変換する環境音量を可変とし、ユーザが、適宜、設定できるようにしてもよい。
【００３４】
本発明の携帯電話１０（および携帯電話３０  以下、特に必要な場合を除いて省略）においては、前述のような騒音などの外部からの阻害や、携帯機器であるが故の画像出力部１２のディスプレイ画面サイズの制約等から、コンテンツの視聴やテレビ電話としての使用時に、各種の制約や不都合がある。
このような制約や不都合を解消するために、本発明の携帯電話１０は、下記の様な各種の機能等を有するのが好ましい。
【００３５】
例えば、本発明の携帯電話１０において、画像中における人物認識処理を行って、顔や人物のサイズが所定サイズ以下の場合、例えば画像出力部１２のディスプレイ画面サイズに対する顔や人物サイズの比率が所定値以下の場合には、顔部分を中心にトリミングを行い、人物を拡大表示するようにしてもよい。さらに、人物の動きが大きい場合には、認識した人物を自動追尾して拡大表示するのも好ましい。
同様に、画像中の文字認識を行って、再生する文字のサイズが所定サイズ以下の場合（例えば、同前）に、文字エリアを拡大表示してもよい。あるいは、文字内容を自動認識して、音声変換を行い、音声として出力するのも好ましく、両処理を行ってもよい。
【００３６】
携帯電話１０に搭載されるディスプレイでは、コンテンツの再生に十分な表示能力を有さない場合も有り得る。
これに対応して、再生画像のコントラスト（再生画像の輝度ダイナミックレンジ）が所定値以上の場合には、画像のコントラストを圧縮して画像の表示を行うようにしてもよい。あるいは、再生画像中において人物が暗い場合にも、同様に、コントラストを圧縮して画像の表示を行うようにしてもよい。
【００３７】
人込みや電車内等では、コンテンツの試聴中に、他人との衝突や車両の振動等によって、視聴が阻害される場合もある。
これに対応して、携帯電話１０に加速度センサを設け、加速度が所定値以上すなわち所定以上の揺れが有った場合には、先と同様にして、人物および／または文字部を拡大表示するようにしてもよい。
【００３８】
これらの各処理において、人物認識や文字認識等は、公知の手段を利用すればよい。また、コンテンツデータのメタ情報として、画面中の人物位置や文字位置の情報がある場合には、この情報を利用して、前記各処理を行ってもよい。
さらに、携帯電話１０に、前述のようにバッファ機能を兼ねる画像／音声記憶部を設け、これらの各処理を行った場合には、該当する時間帯＋α秒のコンテンツデータを記憶し、別途、再生できるようにしてもよい。あるいは、後述するホームサーバ等で、同様の処理を行ってもよい。
【００３９】
これらの処理を行う判定閾値（例えば、前記画面中の人物サイズ比や再生画像のコントラスト）等は、ディスプレイの表示能力や音声出力部１４の能力等に応じて、適宜、決定すればよい。あるいは、判定閾値は、ユーザが適宜設定して、カスタマイズできるようにするのも好ましく、デフォルトの固定設定や自動設定と、ユーザによるカスタマイズとを選択できるようにするのも好ましい。
また、これらの各種の処理のうち、実施する処理を、ユーザが適宜選択してカスタマイズできるようにするのも好ましい。
さらに、ユーザによる入力指示に応じて、上記各処理によるコンテンツ等の再生と、オリジナルの再生とを、切り替え可能にするのが好ましい。
【００４０】
本発明の携帯電話１０は、各家庭が有するホームサーバ（コンテンツの録画システム）等と通信して、自身が受信したコンテンツの録画指示等をできるようにするのが好ましい。
【００４１】
携帯電話１０でコンテンツを視聴しているユーザによって、例えば操作キー等を用いて所定の指示が入力されると、携帯電話１０は、図２に示すように、受信しているコンテンツの表示情報、例えば、受信したコンテンツのチャンネル、コンテンツを受信したタイミング（受信開始時間および／または受信した時間（視聴区間））、音声制御、表示領域（トリミング枠）、前記字幕変換、前記ＣＭ中再生や後追い再生等の情報を、ホームサーバ３６に送る。なお、この表示情報の送信は、公知の方法で行えばよい。
なお、携帯電話１０からホームサーバ３６への表示情報の送信は、１つのコンテンツ毎に行ってもよく、あるいは、携帯電話１０で記憶しておき、複数のコンテンツの表示情報をまとめてホームサーバ３６に送信する。
【００４２】
表示情報を受けたホームサーバ３６は、そのコンテンツの録画を予約されていない場合には、録画を開始すると共に、表示情報を録画データに対応付けして記憶する。
【００４３】
ホームサーバ３６が録画したコンテンツを再生する際に、録画データに表示情報が対応付けされていれる場合には、ホームサーバ３６は、必要に応じて、この表示情報に応じた処理を行う。
【００４４】
例えば、携帯電話１０のディスプレイ３８は小型で、かつ、ホームサーバ３６に接続されるディスプレイ４０とはアスペクト比も異なる場合がある。そのため、携帯電話１０で再生される映像は、正規の画像からトリミングした画像とならざるを得ない場合もある。
これに対応して、表示情報にトリミング枠の情報が有る場合には、ホームサーバ３６では、コンテンツを再生する際に、ユーザによる指示に応じて、携帯電話１０で再生した際のトリミング枠を表示してもよく、あるいは、画面の隅に携帯電話１０におけるトリミング枠映像を再生してもよい。
【００４５】
携帯電話１０で既に視聴したコンテンツである旨の表示、携帯電話１０で視聴した区間である旨の表示等を行ってもよく、さらに、携帯電話１０で再生した区間はスキップもしくは早送り再生してもよい。
携帯電話１０で、表示情報に消音や音量の絞り込み等の音量制御の情報が有る場合には、消音あるいは音量絞り込み区間であったことを表示してもよい。
【００４６】
前述のように、携帯電話１０においては、環境音量に応じて音声の字幕変換および字幕表示を行う。表示情報に字幕変換の情報が有る場合には、ホームサーバ３６でコンテンツを再生する際に、字幕変換された区間である旨を表示してもよい。また、携帯電話３０においては、環境音量に応じてコンテンツデータを記憶して、ＣＭ中に再生する。表示情報にＣＭ中再生の情報が有る場合には、ホームサーバ３６でコンテンツを再生する際に、ＣＭ中に再生した区間を、その前後を含めて正規の流れに応じてダイジェスト再生してもよい。
さらに、前述のように、通話中に字幕変換（携帯電話１０）や通話データの記憶（携帯電話３０）を行った場合には、その情報をホームサーバ３６に送って、再度、通話をホームサーバ３６で再生できるようにしてもよい。
【００４７】
また、携帯電話１０にお気に入りシーンの指定機能を付し、お気に入りシーンの情報を表示情報としてもよい。
この際には、ホームサーバ３６でコンテンツを再生する際に、お気に入りシーンあるいはさらに前後ｘ秒間を、強調表示してもよい。あるいは、お気に入りシーンのみを集めて、ダイジェストで再生してもよく、非お気に入りシーンを早送り再生してもよい。
【００４８】
なお、ホームサーバ３６には、複数の携帯電話１０から同時に表示情報の送信が行われる場合もある。
この際には、各表示情報に応じて、同時間帯に異なる複数のコンテンツを録画できるようにするのが好ましく、また、１つのコンテンツに複数の表示情報を対応付けしてもよい。
【００４９】
また、コンテンツをホームサーバ３６で録画するのではなく、表示情報を携帯電話１０に記憶しておき、携帯電話１０で視聴した外出時に見ていない区間のみを外部のデータベースから取り寄せてもよい。
さらに、携帯電話１０で視聴したコンテンツではなく、公共の表示機器で視聴したコンテンツについて、上記と同様に録画や処理を行ってもよい。
【００５０】
ところで、ＴＶ等を鑑賞している際には、常に画面を見ていることは困難であり、余所見やＴＶの前を離れる等によって、重要なシーン等を見逃してしまう場合もある。
これに対応して、コンテンツを録画すると共に、カメラで視聴者を常時撮影し、視聴者が画面を見ていない区間を判定／蓄積して、後に、この区間を再生してもよい。あるいは、画面の隅の子画面にこの区間を再生してもよく、インデックス風に表示してもよい。
なお、画面を見ていない区間の自動判定は、人物の有無の検出、パターンマッチングによる顔の向き判定や視線検出ＡＥ機能付カメラなどに利用する瞳の位置判定などの視線検出等で行えばよい。
【００５１】
以上、本発明の携帯通信端末について詳細に説明したが、本発明は上記実施例に限定はされず、本発明の要旨を逸脱しない範囲において、各種の改良や変更を行ってもよいのは、もちろんである。
例えば、上記実施例は本発明をデジタル放送の受信機能を有する携帯電話に利用した例であるが、本発明は、これに限定はされず、例えば、音声再生機能を有するＰＤＡ（Ｐｅｒｓｏｎａｌ  Ｄｉｇｉｔａｌ  Ａｓｓｉｓｔａｎｔ）のように通話機能を有さない携帯通信端末や、携帯テレビジョンやカーナビゲーションなどのデジタル放送受信専用の端末、さらにはデジタル放送の受信機能を有さない携帯電話であってもよい。
【００５２】
【発明の効果】
以上、詳細に説明したように、本発明によれば、デジタル放送を受信して視聴可能な携帯電話等の携帯通信端末において、環境騒音等の影響を受けずにコンテンツを視聴することができ、すなわち、デジタル放送などによる情報や娯楽性を十分に得ることができ、また、騒音等で通話が妨害されても、通話内容を的確に把握できる。
【図面の簡単な説明】
【図１】（Ａ）および（Ｂ）は、本発明による携帯電話に利用した一例を概念的に示すブロック図である。
【図２】本発明による携帯電話の利用例を説明するための概念図である。
【符号の説明】
１０，３０  携帯電話
１２  画像出力部
１４  音声出力部
１６  受信部
１８  復号部
２２  字幕変換部
２４  環境音量測定部
３２  記憶部
３６  ホームサーバ
３８，４０  ディスプレイ
【図１】
2005064592.tif 000003
【図２】
2005064592.tif 000004